(57)【要約】【課題】係合突部の損耗を抑制するとともに、蓋体天板のヒケの発生を防止し、さらにオーバーラントルクを強くして蓋体の位置決め固定力を高めるようにした蓋付き容器を提供すること。【解決手段】外周壁１、２が非真円形となる容器本体３及び蓋体４を備え、容器本体３の口部５に蓋体４をねじ係合するとともに、容器本体３に、蓋体４の締め込みに伴う乗り越えにより締め込み完了の位置決めを行う係合突部６を設けた蓋付き容器において、容器本体３の口部５の基部周囲から外周壁１側に、可撓性を有する揺動可能なフランジ部７を延設するとともに、フランジ部７の長径部の表面に、蓋体４の外周壁２が乗り越えることにより外周壁２の長径部２ａ内に嵌合する係合突部６を設ける。【選択図】図１
2009107652.tif 000002
【特許請求の範囲】
【請求項１】
外周壁が非真円形となる容器本体及び蓋体を備え、容器本体の口部に蓋体をねじ係合するとともに、容器本体に、蓋体の締め込みに伴う乗り越えにより締め込み完了の位置決めを行う係合突部を設けた蓋付き容器において、容器本体の口部の基部周囲から外周壁側に、可撓性を有する揺動可能なフランジ部を延設するとともに、該フランジ部の長径部の表面に、蓋体の外周壁が乗り越えることにより該外周壁の長径部内に嵌合する係合突部を設けたことを特徴とする蓋付き容器。
【請求項２】
係合突部を、蓋体の回転方向に傾斜部を有する山型に形成したことを特徴とする請求項１記載の蓋付き容器。
【発明の詳細な説明】
【技術分野】
【０００１】
本発明は、化粧品等の蓋付き容器に関し、特に、外周壁が平面視で四角形や多角形あるいは楕円等の非真円形となる蓋付き容器に関するものである。
【背景技術】
【０００２】
従来、外周壁が四角形や多角形あるいは楕円等の非真円形となる蓋付き容器は、例えば、化粧品のスキンクリームなどの容器として多数使用されている。
このような蓋付き容器は、容器本体の口部に蓋体をねじ係合させているが、容器が四角形であったりするため、蓋体の締め込み完了時に蓋体と容器本体が揃うように位置決めを行う必要がある。
【０００３】
蓋体の位置決め構造は多数提案されているが、容器本体に、蓋体の締め込みに伴う乗り越えにより締め込み完了の位置決めを行う係合突部を設けることが一般的である。
具体的には、図３に示すように、容器本体１０の肩部に係合突部１１を設けるとともに、蓋体１２側から縦リブ１３を延設し、ねじの締め込みにより下がってきたこの蓋体１２の縦リブ１３を容器本体１０の係合突部１１に圧接し、この係合突部１１を乗り越えることにより締め込み完了の位置決めを行うようにしている。
【０００４】
しかしながら、このような従来の蓋付き容器では、合成樹脂で形成した係合突部１１と縦リブ１３とを圧接することにより乗り越えを行うことから、容器の開閉が繰り返されると係合突部１１や縦リブ１３が損耗しやすいという問題を有している。
これら係合突部１１と縦リブ１３の耐久性を上げるためには、係合突部１１や縦リブ１３を大きめに形成することが考えられるが、縦リブ１３を大きくした場合は成型時に蓋体１２の天板にヒケが発生する。
また、係合突部１１を半径外方向に大きくした場合は、図３（ｄ）〜（ｆ）に示すように、蓋体１２の外周壁１４の短径部１４ａが干渉する。
さらに、係合突部１１を高く形成した場合は、ねじピッチの関係上、蓋体１２の縦リブ１３が本来の位置に来る前に１８０°反対位置にある係合突部１１に当接するという問題が発生する。
【発明の開示】
【発明が解決しようとする課題】
【０００５】
本発明は、上記従来の蓋付き容器が有する問題点に鑑み、係合突部の損耗を抑制するとともに、従来の縦リブを省略して蓋体天板のヒケの発生を防止し、さらにオーバーラントルクを強くして蓋体の位置決め固定力を高めるようにした蓋付き容器を提供することを目的とする。
【課題を解決するための手段】
【０００６】
上記目的を達成するため、本発明の蓋付き容器は、外周壁が非真円形となる容器本体及び蓋体を備え、容器本体の口部に蓋体をねじ係合するとともに、容器本体に、蓋体の締め込みに伴う乗り越えにより締め込み完了の位置決めを行う係合突部を設けた蓋付き容器において、容器本体の口部の基部周囲から外周壁側に、可撓性を有する揺動可能なフランジ部を延設するとともに、該フランジ部の長径部の表面に、蓋体の外周壁が乗り越えることにより該外周壁の長径部内に嵌合する係合突部を設けたことを特徴とする。
【０００７】
この場合において、係合突部を、蓋体の回転方向に傾斜部を有する山型に形成することができる。
【発明の効果】
【０００８】
本発明の蓋付き容器によれば、外周壁が非真円形となる容器本体及び蓋体を備え、容器本体の口部に蓋体をねじ係合するとともに、容器本体に、蓋体の締め込みに伴う乗り越えにより締め込み完了の位置決めを行う係合突部を設けた蓋付き容器において、容器本体の口部の基部周囲から外周壁側に、可撓性を有する揺動可能なフランジ部を延設するとともに、該フランジ部の長径部の表面に、蓋体の外周壁が乗り越えることにより該外周壁の長径部内に嵌合する係合突部を設けることから、締め込み完了の位置決めを行うための乗り越えは、フランジ部が下方に撓むことで圧接の抵抗を減じ、係合突部や蓋体外周壁の損耗を抑制することができる。
また、蓋体の外周壁を係合突部の乗り越えに利用することから、従来の縦リブを省略して蓋体天板のヒケの発生を防止するとともに、係合突部の乗り越えをこの外周壁を利用して行うことにより、口部周囲に係合突部を設ける内周寄りの構造よりもオーバーラントルクを強くし、蓋体の位置決め固定力を高めることができる。
【０００９】
また、係合突部を、蓋体の回転方向に傾斜部を有する山型に形成することにより、傾斜部で蓋体の外周壁を案内して係合突部の乗り越えを容易にし、容器の開閉を円滑にすることができる。
【発明を実施するための最良の形態】
【００１０】
以下、本発明の蓋付き容器の実施の形態を、図面に基づいて説明する。
【実施例１】
【００１１】
図１〜図２に、本発明の蓋付き容器の一実施例を示す。
この蓋付き容器は、外周壁１、２が非真円形となる容器本体３及び蓋体４を備え、容器本体３の口部５に蓋体４をねじ係合するとともに、容器本体３に、蓋体４の締め込みに伴う乗り越えにより締め込み完了の位置決めを行う係合突部６を設けている。
そして、この蓋付き容器は、容器本体３の口部５の基部周囲から外周壁１側に、可撓性を有する揺動可能なフランジ部７を延設するとともに、該フランジ部７の長径部の表面に、蓋体４の外周壁２が乗り越えることにより該外周壁２の長径部２ａ内に嵌合する係合突部６を設けている。
【００１２】
容器本体３及び蓋体４は合成樹脂からなり、本実施例では、外周壁１、２は平面視で四角形であるが、六角形や楕円等の形状にすることもできる。
容器本体３は、スキンクリーム等を収容する内底８の周囲に外周壁１と外底９を設けた２重構造をなし、内底８と外周壁１及び外底９とは連結部８１を介して接着や嵌合等により一体化されている。
【００１３】
容器本体３の口部５には雄ねじが形成されるとともに、基部周囲から外周壁１側に、可撓性を有するフランジ部７が略水平に延設されている。
フランジ部７は、口部５から外周壁１の内側まで一体に延設されており、フランジ部７の外周先端部は外周壁１から独立していて揺動が可能である。
フランジ部７は、内底８と外周壁１の隙間を覆って化粧するとともに、その長径部７ａの表面に、蓋体４の外周壁２が乗り越えることにより該外周壁２の長径部２ａ内に嵌合する係合突部６を設けている。
係合突部６は、蓋体４の回転方向に傾斜部６１を有する山型に形成されており、傾斜部６１で蓋体４の外周壁２を案内して係合突部６の乗り越えを容易にし、容器の開閉を円滑にしている。
【００１４】
蓋体４は、容器本体３の口部５に螺合する雌ねじ部４１の周囲に、天板４２を介して外周壁２を一体に形成している。
蓋体４の外周壁２は、容器本体３の外周壁１と同じく四角形に設けられており、蓋体４を閉める際に、下降してきた外周壁２の長径部２ａの下端が、容器本体３のフランジ部７の係合突部６を乗り越え、係合突部６が蓋体４の角部の内側に嵌合することにより、蓋体４は容器本体３と外周壁１、２が揃うように位置決めされた状態で固定される。
なお、蓋体４の内側には、容器本体３の口部５を密閉するパッキン４３が配設されている。
【００１５】
かくして、本実施例の蓋付き容器は、外周壁１、２が非真円形となる容器本体３及び蓋体４を備え、容器本体３の口部５に蓋体４をねじ係合するとともに、容器本体３に、蓋体４の締め込みに伴う乗り越えにより締め込み完了の位置決めを行う係合突部６を設けた蓋付き容器において、容器本体３の口部５の基部周囲から外周壁１側に、可撓性を有する揺動可能なフランジ部７を延設するとともに、該フランジ部７の長径部７ａの表面に、蓋体４の外周壁２が乗り越えることにより該外周壁２の長径部２ａ内に嵌合する係合突部６を設けることから、締め込み完了の位置決めを行うための乗り越えは、フランジ部７が下方に撓むことで圧接の抵抗を減じ、係合突部６や蓋体４の外周壁２の損耗を抑制することができる。
また、蓋体４の外周壁２を係合突部６の乗り越えに利用することから、従来の縦リブを省略して蓋体天板のヒケの発生を防止するとともに、係合突部６の乗り越えをこの外周壁２を利用して行うことにより、口部周囲に係合突部を設ける内周寄りの構造よりもオーバーラントルクを強くし、蓋体４の位置決め固定力を高めることができる。
【００１６】
また、係合突部６を、蓋体４の回転方向に傾斜部を有する山型に形成することにより、傾斜部で蓋体４の外周壁２を案内して係合突部６の乗り越えを容易にし、容器の開閉を円滑にすることができる。
【００１７】
以上、本発明の蓋付き容器について、その実施例に基づいて説明したが、本発明は上記実施例に記載した構成に限定されるものではなく、その趣旨を逸脱しない範囲において適宜その構成を変更することができる。
【産業上の利用可能性】
【００１８】
本発明の蓋付き容器は、係合突部の損耗を抑制するとともに、従来の縦リブを省略して蓋体天板のヒケの発生を防止し、さらにオーバーラントルクを強くして蓋体の位置決め固定力を高めるという特性を有していることから、平面視が四角形や六角形等のねじ蓋式容器に広く好適に用いることができる。
【図面の簡単な説明】
【００１９】
【図１】本発明の蓋付き容器の一実施例を示し、右半は長径部の断面図、左半は短径部の断面図である。
【図２】同実施例の容器本体を示し、（ａ）はその平面図、（ｂ）は同正面図、（ｃ）は（ａ）のＡ矢視図、（ｄ）は（ａ）のＢ−Ｂ線断面図である。
【図３】従来の蓋付き容器を示し、（ａ）は、蓋体の底面図、（ｂ）は容器本体の平面図、（ｃ）は蓋体を閉じた長径部の断面図、（ｄ）は閉じ終える４５°前の角度の蓋体の底面図、（ｅ）は同平面図、（ｆ）は同短径部の断面図である。
【符号の説明】
【００２０】
１    外周壁
２    外周壁
２ａ  長径部
３    容器本体
４    蓋体
４１  雌ねじ部
４２  天板
４３  パッキン
５    口部
６    係合突部
６１  傾斜部
７    フランジ部
７ａ  長径部
８    内底
８１  連結部
９    外底
【図１】
2009107652.tif 000003
【図２】
2009107652.tif 000004
【図３】
2009107652.tif 000005